(57)【特許請求の範囲】
【請求項１】
廃家電品のＴＶ受像機の分解破砕において、
前記ＴＶ受像機を受像機本体の箱体とブラウン管に分解する分解手段と、
前記ブラウン管の電子銃部分の切断分離手段と、
前記切断分離手段により電子銃部分を切断分離された前記ブラウン管に装着されている防爆バンドの除去手段と、
防爆バンドが除去された前記ブラウン管の防爆バンド部の補強緩衝材の除去手段と、
補強緩衝材を除去された前記ブラウン管をパネルガラス部・シャドウマスク・ファンネルガラス部に分ける分解分離手段と、
前記パネルガラス部の塗布蛍光体の除去手段と、
前記ファンネルガラス部の塗布有機物および蒸着アルミの除去剥離手段と、
前記ブラウン管の分解分離手段と前記蛍光体の除去手段ならびに有機物および蒸着アルミの除去剥離手段との間に分解分離されたパネルガラス部ならびにファンネルガラス部を移動させる手段と、
塗布蛍光体を除去した前記パネルガラス部を破砕しパネルカレットにするパネルガラス部破砕手段と、
前記パネルカレットの磁力選別手段と、
前記パネルガラス部破砕手段と前記パネルカレットの磁力選別手段との間に破砕された前記パネルカレットを移動させる手段と、
塗布有機物および蒸着アルミを除去剥離された前記ファンネルガラス部を破砕しファンネルカレットにするファンネルガラス部破砕手段と、
このファンネルガラス部破砕手段および前記パネルガラス部破砕手段に設けた破砕集塵手段と、
前記ファンネルカレットの磁力選別手段と、
前記ファンネルガラス部破砕手段と前記ファンネルカレットの磁力選別手段との間に破砕された前記ファンネルカレットを移動させる手段とを備え、
前記ファンネルガラス部の塗布有機物および蒸着アルミの除去剥離手段は、ガラスパウダー噴射部を設けたファンネル洗浄装置と、使用後の前記ガラスパウダーを測定し、規定値と比較することにより規定値を外れるものを分離除外するガラスパウダー選別部を設けたファンネル洗浄集塵装置を備えた、
ことを特徴とするテレビ受像機のブラウン管再生前処理システム。
【請求項２】
請求項１記載のテレビ受像機のブラウン管再生前処理システムであって、
前記破砕集塵手段は、集塵されたガラス粉塵を測定し、規定値と比較することにより規定定値に適合するものを回収するガラス粉塵分離装置を備えたことを特徴とするテレビ受像機のブラウン管再生前処理システム。
【発明の詳細な説明】
【０００１】
【発明の属する技術分野】
本発明は、廃家電品の処理において、廃家電品の構成材料別に分解選別し再利用を容易にする資源循環技術に関するものである。
【０００２】
【従来の技術】
従来、廃家電品は単純に圧縮あるいは分解破砕することによりその空間容積を減じ埋立て等により廃棄処理することが一般であった。
【０００３】
【発明が解決しようとする課題】
上記のように、圧縮や破砕によって単純に空間容積を減じ埋立てる処理方法では廃家電に多く含まれている再利用可能な金属類、プラスチック類、ガラス等や、そのまま廃棄すると環境に悪影響を与える重金属等の有毒物質も何ら処置されることがなく、限りある資源の浪費と環境汚染の促進拡大を抑制しなければならないという課題があった。
本発明は、このような従来の課題を解決するものであり、廃家電品構成材料別の分解選別により有用材料の再利用を促進することのできるテレビ受像機のブラウン管再生前処理システムを提供することを目的としている。
【０００４】
【課題を解決するための手段】
本発明のテレビ受像機のブラウン管再生前処理システムは上記目的を達成するために、
廃家電品のＴＶ受像機の分解破砕において、
前記ＴＶ受像機を受像機本体の箱体とブラウン管に分解する分解手段と、
前記ブラウン管の電子銃部分の切断分離手段と、
前記切断分離手段により電子銃部分を切断分離された前記ブラウン管に装着されている防爆バンドの除去手段と、
防爆バンドが除去された前記ブラウン管の防爆バンド部の補強緩衝材の除去手段と、
補強緩衝材を除去された前記ブラウン管をパネルガラス部・シャドウマスク・ファンネルガラス部に分ける分解分離手段と、
前記パネルガラス部の塗布蛍光体の除去手段と、
前記ファンネルガラス部の塗布有機物および蒸着アルミの除去剥離手段と、
前記ブラウン管の分解分離手段と前記蛍光体の除去手段ならびに有機物および蒸着アルミの除去剥離手段との間に分解分離されたパネルガラス部ならびにファンネルガラス部を移動させる手段と、
塗布蛍光体を除去した前記パネルガラス部を破砕しパネルカレットにするパネルガラス部破砕手段と、
前記パネルカレットの磁力選別手段と、
前記パネルガラス部破砕手段と前記パネルカレットの磁力選別手段との間に破砕された前記パネルカレットを移動させる手段と、
塗布有機物および蒸着アルミを除去剥離された前記ファンネルガラス部を破砕しファンネルカレットにするファンネルガラス部破砕手段と、
このファンネルガラス部破砕手段および前記パネルガラス部破砕手段に設けた破砕集塵手段と、
前記ファンネルカレットの磁力選別手段と、
前記ファンネルガラス部破砕手段と前記ファンネルカレットの磁力選別手段との間に破砕された前記ファンネルカレットを移動させる手段とを備え、
前記ファンネルガラス部の塗布有機物および蒸着アルミの除去剥離手段は、ガラスパウダー噴射部を設けたファンネル洗浄装置と、使用後の前記ガラスパウダーを測定し、規定値と比較することにより規定値を外れるものを分離除外するガラスパウダー選別部を設けたファンネル洗浄集塵装置を備えたものである。
【０００５】
本発明によれば、廃家電品の構成材料別の分解選別により有用材料の再利用を促進することのできるテレビ受像機のブラウン管再生前処理システムが得られる。
そして、廃家電品の構成材料別の分解選別により有用材料の再利用を促進するにあたり、再利用材料に異質の材料の混入を防ぎ、かつ手段の効率を向上することのできるテレビ受像機のブラウン管再生前処理システが得られる。
【０００６】
さらに、本発明においては、破砕集塵手段に集塵されたガラス粉塵を選別できるようにしたものである。
【０００７】
この発明によれば、処理工程で発生した粉塵を、ガラスパウダーとして再利用することができ、廃家電品の構成材料別の分解選別により有用材料の再利用を促進するにあたり、再利用度を向上することのできるテレビ受像機のブラウン管再生前処理システムが得られる。
【０００８】
【発明実施の形態】
本発明は、廃家電品のＴＶ受像機の分解破砕において、受像機本体の箱体よりブラウン管を取り出す分解手段と、この取り出したブラウン管を必要に応じて分解する切断分離手段および分解分離手段と、ブラウン管に付帯あるいは塗布・蒸着されている部品や物質の除去手段と除去剥離手段と、ブラウン管のガラス部分をカレットに破砕するガラス部破砕手段と、この破砕手段に設けた破砕集塵手段と、破砕されカレットとなったガラス部分を選別する磁力選別手段と、これらの各手段の間を連結し物体を移動させる手段とを備えたものであり、ＣＲＴを廃ＴＶ受像機から分離し、分割し、硝子とは異質な成分となるものを分離除去しガラスの材質別に効率良く、再生ガラス材料のカレット状とすることができる。
【０００９】
また本発明は、ファンネルガラス部の塗布・蒸着物の除去剥離手段にガラスパウダー噴射部と、このガラスパウダーの使用後の状態をチェックし、効用の低下したものは分離除外するガラスパウダー選別部を設けたファンネル洗浄集塵装置を備えたものであり、噴射ガラスパウダーの状態を常に有効なものとでき、ファンネル洗浄を効率良く均質にする作用がある。
【００１０】
さらに本発明は、破砕集塵手段に集塵されたガラス粉塵を選別できるようにしたものであり、工程中に発生する粉塵をガラスパウダー噴射部で有効に利用することができる。
【００１１】
【実施例】
以下、本発明の実施例について図面を参照しながら説明する。
【００１２】
図１〜図３に示すように、この装置によって処理される廃ＴＶ受像機１は、コンベア２の上を流れるに従い外側より順次分解され、キャビネット基板３、ブラウン管４、偏向ヨーク５、被覆線６の各部品に分別される。この各部品の重量比率は、ブラウン管４が５２．２％で最も大きく、その他の部品は４７．８％で別途細断され、その中から鉄・非鉄分として１４％回収できる。
【００１３】
ブラウン管４は、その前面部を下にしてコンベア７の上に置かれ、背面の突起末端部である電子銃８を硝子カッタを主体とした電子銃切断部９に於て切り離す。次に爆縮防止のためにブラウン管４の最大外周部を巻き締めている防爆バンド１０を回転砥石あるいは回転鋸状の防爆バンド切断部１１にて切断する。防爆バンド１０を除去するとその跡のブラウン管４の表面には、防爆バンド１０による硝子面への加傷を防ぐため緩衝材として補強テープ１２が巻付接着されているので、回転ブラシによる補強緩衝材除去部１３で完全に剥離する。またブラウン管４の背面には部品表示用の粘着ラベル等が貼付されているのでこれも同様に除去しなければならない。
【００１４】
これでブラウン管４の表面への貼着物は取り除かれたことになるが、本装置では純粋なガラス資源の回収が目的であり、ブラウン管４はその前面部のパネルガラス１４と背面部のファンネルガラス１５は成分が異るため、これを分割する必要がある。そしてブラウン管４はブラウン管分割装置１６にのせられる。ブラウン管分割装置１６はブラウン管４のパネルガラス１４とファンネルガラス１５との境界部に硝子カッターを当てるカッター位置決め部（図示せず）を有し、その決められた位置でブラウン管４の外周に切れ目を入れる。この切れ目に沿ってニクロム線等の熱線を巻き付け加熱し、ブラウン管４の内部の温度を約２００℃に上げ、熱線を離しその位置をスポンジ状物質に含水させたもので冷却すると、内外の温度差による応力により先に入れた切れ目にそって割れる。このとき外周に適当な衝撃を加えると良い。
【００１５】
切断位置については、シールエッジからパネル側に１０mm以内の位置としている。その位置で切断すると、パネルガラス１４の残存重量は９５％であり良好であるが、モールドマッチライン（ＭＭＬ）で切断した場合のパネルガラス１４の残存重量は７０％となる。パネルガラス重量の約３０％がファンネルガラス１５側に混入すると、パネルガラス１４の重量がファンネルガラス１５の重量と比較して１．７９倍と大きいため、ファンネルガラス１５中には５４％分の組成の異なる材料が混入してしまう。
【００１６】
よって、ファンネルガラス１５の比重、濃度調整に支障をきたしてしまう。従って、本設備では、切断位置をシールエッジから１０mm以内の範囲とした。
【００１７】
分割されたファンネルガラス１５はコンベアー１８によってブラスト装置１９へ、中に装着されているシャドウマスク１７は除去し、パネルガラス１４はコンベアー２０によって蛍光体除去装置２１へと送られる。
【００１８】
テレビには、画像を安定させるため、ファンネルガラス１５の内外面にダッグと呼ばれる有機物が塗布されている。ダッグの種類には、アクアダッグ（黒色）、チタンダッグ（灰色）、ベンガラダッグ（赤色）などがあるが、これらの有機物がカレットの中に混入されると、ガラス溶解炉の中で不純物となり、金属鉛を析出させてしまう。従って、この段階でダッグを完全に除去しなければならない。ブラスト装置１９では、乾式かつ連続的に処理可能である。上下各４本計８本のノズル２２をスイングさせ塗布されているダッグを除去している。投射材には、ガラスパウダーを使用しており、カレット中へのガラス以外の不純物の混入を防止している。投射されたガラスパウダー及び除去されたダッグはサイクロン２３により分離され、再度使用できるガラスパウダーは回収され、使用不可能なパウダーは、集塵機２４へ集塵される。
【００１９】
蛍光体除去装置２１へ送られたパネルガラス１４は、吸引ノズルを有する回転ブラシ２５によってパネルガラス１４内面に塗布された蛍光体と蒸着されたアルミ被膜を除去し、シンターセラミックフィルターを使用する集塵部２６で集塵される。
【００２０】
これまでの工程で塗布物を除外されたパネルガラス１４とファンネルガラス１５は、それぞれ破砕装置２７・２８へ送られ破砕されてカレットとなる。この２つの破砕装置には格別の差異はないものである。
【００２１】
破砕設備には、ダブルロールクラッシャー、ジョークラッシャーなどがあるが、カレットの粒径、騒音、振動等の問題点の比較から破砕装置２７・２８では、ダブルロールクラッシャーを採用した。二軸のダブルロールクラッシャーで、一軸に各３個計６個のロールタイヤが取付られている。材質は、クロムなどを含む超硬合金であり、クリアランスは、パネル・ファンネル系とも１５mmである。
【００２２】
カレットの粒径は、１０mm〜５０mmに均一でき、騒音は８０dB以下、振動は２μ以下に低減できている。また、破砕時に発生するガラスダストを集塵するため、バッグフィルターを使用した破砕集塵装置３４を設けている。
【００２３】
パネルガラス１４及びファンネルガラス１５には、それぞれ、シャドウマスク１７を固定させるため、陰極として金属ピンが取付けられている。金属類は、ガラス溶解炉には投入できないため、パネルガラス１４及びファンネルガラス１５を破砕し、金属類を除去しなければならない。このため破砕されたカレットを磁力選別装置２９・３０を通して金属類を選別し完全なガラスばかりのカレットにするものである。
【００２４】
破砕集塵装置３１で破砕装置２７・２８の要所に設けられた吸引ノズル３２・３３から吸引したガラスダストを規定の基準に基づき分別し、ブラスト装置１９で投射材として再利用するものである。
【００２５】
また、３４・３５・３６・３７はパネルガラス１４及びファンネルガラス１５を各装置へ移送するコンベアである。
【００２６】
【発明の効果】
以上、本発明によれば、廃家電品であるテレビ受像機のブラウン管の付帯部品および付着物を順次除去する手段により異なる種類から構成されるガラス質を効率よく、かつ高純度に分離し、この過程で発生する材料粉塵を工程中で利用することにより再利用の度合を高める効果のあるテレビ受像機のブラウン管再生前処理システムを提供できる。
【図面の簡単な説明】
【図１】  本発明の実施例のテレビ受像機解体工程を示す説明図
【図２】  同ブラウン管付帯物除去及び分割工程を示す説明図
【図３】  同ブラウン管塗布物除去及び破砕工程を示す説明図
【符号の説明】
１  廃ＴＶ受像機
４  ブラウン管
８  電子銃
９  電子銃切断部
１０  防爆バンド
１１  防爆バンド切断部
１２  補強テープ
１３  補強緩衝材除去部
１４  パネルガラス
１５  ファンネルガラス
１６  ブラウン管分割装置
１８  コンベアー
１９  ブラスト装置
２０  コンベアー
２１  蛍光体除去装置
２２  ノズル
２５  回転ブラシ
２７  破砕装置
２８  破砕装置
２９  磁力選別装置
３０  磁力選別装置
３１  破砕集じん装置
３２  吸引ノズル
３３  吸引ノズル
３４  コンベアー
３５  コンベアー
３６  コンベアー
３７  コンベアー
【図１】
0003681486.tif 000002
【図２】
0003681486.tif 000003
【図３】
0003681486.tif 000004